(57)【要約】【構成】本体の下端部に印字体を保持し、前記本体の上方部には握り部を着脱自在に嵌着しており、印面を覆うキャップを着脱自在に設けた印判において、握り部に一対の孔を設け、その孔に回転自在に軸着する軸を有するロック部材により、前記キャップを少なくとも一部覆うように設けた際、前記キャップを取り外し不可能にしたことを特徴とする印判である。【効果】キャップ８を前後に移動させること無しに、回転作業だけでキャップのロック解除をおこない、キャップ８の着脱を容易にし、印面を露呈させて捺印可能状態とすることができる。【選択図】            図１
2004291376.tif 000002
【特許請求の範囲】
【請求項１】
本体の下端部に印字体を保持し、前記本体の上方部には握り部を着脱自在に嵌着しており、印面を覆うキャップを着脱自在に設けた印判において、握り部に一対の孔を設け、その孔に回転自在に軸着する軸を有するロック部材により、前記キャップを少なくとも一部覆うように設けた際、前記キャップを取り外し不可能にしたことを特徴とする印判。
【発明の詳細な説明】
【０００１】
【産業上の利用分野】
本願発明は、着脱自在のキャップを有する印判に関するものである。
【０００２】
【従来の技術】
従来、着脱自在のキャップを有する印判は、印判本体とキャップとが完全に分離するためキャップを紛失するといった問題が生じていた。
そこで、こうしたキャップ又はキャップの働きをする部材を設けて印面の保護を行い、常時はキャップを保持固定する構成のものが多く出願され権利化されている。
例えば、実公平７−３７８８２号（以下、（イ）とする。）、特開平１１−１０５３９１号（
以下、（ロ）とする。）、特開平１０−１２９０９７号（以下、（ハ）とする。）、特開平１０−１８１１７１号（以下、（二）とする。）がある。
【０００３】
（イ）は、キャップ本体１に脚部４を設けて、ケース本体１０にガイド溝孔６を設けて、支軸９により前記キャップ本体１をケース本体１０の前後に摺動自在にし、更に第４図のように回動自在にしている。こうしてキャップ本体１を常にケース体１０と共に付帯させており、キャップをなくすことがなくなった。しかしこうした一体キャップは、前後にキャップ本体を摺動させてから初めて印面使用及び保存状態となる。こうして使用に際して手間である。
【０００４】
（ロ）は、（イ）と同様な構成であり、キャップ部１２にスライド板設けた一体形のキャップ体１１である。このキャップ体１１は、組立ピン１６とカバー筒体６に設けたスライドスリット７により、印面からキャップ部１２を取り除く際は、キャップ体１１を印判軸線上に前後にスライドさせ印面露呈し、カバー筒体を回転させ捺印可能としている。その後再びカバー筒体を回転させもとの位置に戻し、キャップ部１２を印面側に摺動させ、キャップ部装着を行うものである。したがって、キャップ部１２の着脱に際し、スライドを行う必要があり手間である。
【０００５】
（ハ）は、（イ）（ロ）と同様キャップ体１１とカバー筒体６及びカバー筒体６に設けたスライドスリット７により、キャップ体を前方にスライドさせる。すると印判体１とキャップ体１１が連結されているので前記印判体１をカバー筒体６から露呈し、更に、キャップ体１１を回転させ捺印可能状態としている。
したがって、キャップ部１２の着脱に際し、スライドを行う必要があり手間である。
【０００６】
（二）も（イ）（ロ）（ハ）と同様にキャップ部１２の着脱に際し、スライドを行う必要があり手間である。
以上のように、従来発明は、キャップを印面（印判又は印鑑）から外す際、必ず前後にスライドさせ、キャップがホルダーもしくは本体と回転可能に一体に連結されているが故に印面側と反対側にキャップを回転させ固定させる必要があり、こういった作動を伴うことになる。
【０００７】
【特許文献１】
実公平７−３７８８２号公報  （第１図、第４図、第５図）
【特許文献２】
特開平１１−１０５３９１号公報    （第１図）
【特許文献３】
特開平１０−１２９０９７号公報
（段落番号００１１〜００１４、第３図）
【特許文献４】
特開平１０−１８１１７１号公報  （第２図、第３図）
【０００８】
【発明が解決しようとする課題】
以上のように、キャップを印面（印判又は印鑑）から外す際、キャップがホルダーもしくは本体と回転可能に一体に連結されているので、必ず前後にキャップもしくは本体をスライドさせ、印面からキャップを分離する必要がある。そして、捺印時はキャップを本体後端に装着させる必要がある。
こうしたことより、キャップ脱装から捺印まで相当な手間を要するほか部品構成も複雑になってきて、組み立てにも時間を要し、コスト高となる。
【０００９】
【課題を解決するための手段】
本体の下端部に印字体を保持し、前記本体の上方部には握り部を着脱自在に嵌着しており、印面を覆うキャップを着脱自在に設けた印判において、握り部に一対の孔を設け、その孔に回転自在に軸着する軸を有するロック部材により、前記キャップを少なくとも一部覆うように設けた際、前記キャップを取り外し不可能にしたことを特徴とする印判である。
【００１０】
【実施例】
本発明の実施例を図１、図２、図３より詳細に説明する。
１は、握り部でありロック部２の一対の軸３に対応し回転自在に軸着している孔４を穿っておいる。また握り部１は下方端に印字体５を受け部６により保持した本体７を嵌合固定している。このとき前記本体７と前記握り部１の嵌合方法は特に問わない。
【００１１】
２は、コの字型のロック部であり、コの字型の向かい合った先端には、軸３が張設されており、握り部１の孔４とより回転可能に軸着されている。更にコの字型のロック部２は帯状であり、ロック２の部内壁面の形状は、キャップ８の外形に適合した形状である。また本体７の下方端と嵌合している。
こうして、前記ロック部２は、キャップ８を脱落させること無く保持できるものである。
【００１２】
６は、印字体５を本体７に保持する受け部であり、本体７の最下部に凹凸嵌合固定している。本実施例は、前記印字体５は、連続多孔質のＮＢＲ素材である。しかし、印字体５の材質は、非多孔質のＮＢＲ等や金属、合成樹脂等であってもよい。本体７の底壁９を取り除き大径孔を設けて三文判と称する印鑑であってもよい。
【００１３】
７は、本体であり、下方端に受け部６により印字体５を保持している。
更に前記本体７は、印面と反対側に握り部１を着脱自在に嵌着している。また、インキ補充可能な際は、底壁９にインキ補充用孔を設けていてもよい。その際ロック部２のロック状態を解除して、前記握り部１を本体７から取り外し、本体７の印字体５装着側とは反対側よりインキ補充を行うものである。
【００１４】
次に本発明の作用について詳細に説明する。
ロック部２がロック状態であるときは、印字体５の印面を覆ているキャップ８をしっかり抑えていることになる。ロック部２は、キャップ８の中心位置でキャップ８の装着状態を固定している。このときキャップ８の外形に適応するようにロック部２の内壁は形成されている。本実施例では、ロック部２は細いコの字の帯状であり、キャップ８の外形に適合した形状をロック部２内壁が有しているので、前記キャップ８の中心位置で確実にキャップ８を固定している。
【００１５】
次にロック部２を図にある回転方向矢印のどちらかの方向に回転させると、ロック部２によるロック状態が解除される。するとキャップ８は容易に手で取ることができる。そして印面が現れ、捺印作業が行なうことが出来る。更に軸３の中心からキャップ部８の先端までと、握り部１の先端までの距離が同じかまたはそれ以下の場合は、キャップ８を握り部１の後方に位置させ、より捺印しやすいものとしている。
【００１６】
本発明の各部品の素材は、握り部１、ロック部２、本体７、キャップ８は、合成樹脂が望ましいが特に本発明の構成が得られるのであればその材質は問わない。
以上のような構成であるので、携帯時に容易にキャップがはずれて、印面によりポケットや衣類を汚すことも無く、更には迅速にキャップのロック及び解除ができるものである。
【００１７】
【効果】
本発明は、こうした構成であるので、キャップ８を前後に移動（スライド）させること無しに、回転作業だけでキャップのロック解除をおこない、キャップ８の着脱を容易にし、印面を露呈させて捺印可能状態とすることができる。
【００１８】
【図面の簡単な説明】
【図１】本発明の実施例の正面全体図。
【図２】本発明の実施例の断面説明図。
【図３】本発明の実施例の使用状態の断面説明図。
【符号の説明】
１  ：握り部
２  ：ロック部
３  ：軸
４  ：孔
５  ：印字体
６  ：受け部
７  ：本体
８  ：キャップ
９  ：底壁
１０  ：インキ補充孔
【図１】
2004291376.tif 000003
【図２】
2004291376.tif 000004
【図３】
2004291376.tif 000005